(57)【要約】      （修正有）【課題】熱源として燃焼熱源機とヒートポンプ装置とを備えた給湯暖房システムにて、暖房運転時において給湯負荷の発生の有無にかかわらず熱源の効率をより向上させることができる給湯暖房システムを提供する。【解決手段】貯湯タンク１２と、ヒートポンプ装置２０と、貯湯タンク１２とヒートポンプ装置２０との間に形成された貯湯蓄熱経路ＨＢと、燃焼熱源機３０と、暖房循環熱媒を用いて放熱する第１暖房端末４０と、燃焼熱源機３０と第１暖房端末４０との間に環状に形成された暖房経路ＨＦと、を備え、暖房経路には暖房熱媒循環ポンプ３５と第１弁手段４２が設けられ、貯湯蓄熱経路ＨＢには第１温水循環ポンプ２４と給湯暖房熱交換器５２が設けられ、暖房経路ＨＦは、燃焼熱源機３０から第１暖房端末４０を経由した後に給湯暖房熱交換器５２を経由して燃焼熱源機３０に戻るように環状に形成されている。【選択図】図１
2014047947.tif 000002
【特許請求の範囲】
【請求項１】
暖房循環熱媒を蓄えることなく給湯用の温水を蓄える貯湯タンクと、
貯湯蓄熱経路からの温水を加熱可能なヒートポンプ装置と、
前記貯湯タンクから取り出された温水を前記ヒートポンプ装置に導くとともに前記ヒートポンプ装置にて加熱された温水を前記貯湯タンクに戻すように形成された前記貯湯蓄熱経路と、
暖房経路からの暖房循環熱媒を加熱可能な燃焼熱源機と、
暖房循環熱媒を用いて放熱する第１暖房端末と、
前記第１暖房端末の運転状態を利用者が設定可能な第１暖房端末運転状態設定手段と、
前記燃焼熱源機からの暖房循環熱媒を前記第１暖房端末に導くとともに前記第１暖房端末にて放熱した暖房循環熱媒を前記燃焼熱源機に戻すように環状に形成された前記暖房経路と、を備えた給湯暖房システムにおいて、
前記暖房経路におけるいずれかの位置には前記暖房経路内の暖房循環熱媒を循環させることが可能な暖房熱媒循環ポンプが設けられており、
前記暖房経路におけるいずれかの位置には当該暖房経路を閉鎖あるいは開口することが可能な弁手段が設けられており、
前記貯湯蓄熱経路におけるいずれかの位置には前記貯湯蓄熱経路内の温水を循環させることが可能な第１温水循環ポンプが設けられており、
前記貯湯蓄熱経路におけるいずれかの位置には給湯暖房熱交換器が設けられており、
前記暖房経路は、前記燃焼熱源機から前記第１暖房端末を経由した後に前記給湯暖房熱交換器を経由して前記燃焼熱源機に戻るように環状に形成されており、
前記給湯暖房熱交換器は、前記第１暖房端末にて放熱した後の暖房循環熱媒の熱を用いて前記貯湯蓄熱経路中の温水を加熱する、
給湯暖房システム。
【請求項２】
請求項１に記載の給湯暖房システムであって、
前記第１温水循環ポンプが前記ヒートポンプ装置内に設けられている場合、前記ヒートポンプ装置内を除く前記貯湯蓄熱経路におけるいずれかの位置には、前記貯湯蓄熱経路内の温水を循環させることが可能な第２温水循環ポンプが設けられている、
給湯暖房システム。
【請求項３】
請求項２に記載の給湯暖房システムであって、
前記貯湯蓄熱経路において前記貯湯タンクの温水を前記ヒートポンプ装置に導く第１流入側経路と、前記貯湯蓄熱経路において前記ヒートポンプ装置からの温水を前記貯湯タンクに戻す第１吐出側経路と、を連結して前記ヒートポンプ装置をバイパス可能となるようにヒートポンプバイパス経路が設けられており、
前記ヒートポンプバイパス経路と前記第１流入側経路との接続個所あるいは前記ヒートポンプバイパス経路と前記第１吐出側経路との接続個所には、前記貯湯タンクからの温水を前記ヒートポンプバイパス経路に流すことなく前記ヒートポンプ装置に向けて流す、あるいは前記貯湯タンクからの温水を前記ヒートポンプ装置に向けて流すことなく前記ヒートポンプバイパス経路に流すように切替可能な第１経路切替手段が設けられており、
前記第２温水循環ポンプと前記給湯暖房熱交換器は、前記ヒートポンプバイパス経路に対して前記ヒートポンプ装置の側でなく前記貯湯タンクの側に設けられている、
給湯暖房システム。
【請求項４】
請求項１〜３のいずれか一項に記載の給湯暖房システムであって、
前記給湯暖房熱交換器に接続された前記貯湯蓄熱経路において温水が流入する側である第２流入側経路と、前記給湯暖房熱交換器に接続された前記貯湯蓄熱経路において温水が吐出される側である第２吐出側経路と、を連結して前記給湯暖房熱交換器をバイパス可能となるように熱交換器バイパス経路が設けられており、
前記熱交換器バイパス経路と前記第２流入側経路との接続個所あるいは前記熱交換器バイパス経路と前記第２吐出側経路との接続個所には、温水を前記熱交換器バイパス経路に流すことなく前記給湯暖房熱交換器に向けて流す、あるいは温水を前記給湯暖房熱交換器に向けて流すことなく前記熱交換器バイパス経路に流すように切替可能な第２経路切替手段が設けられている、
給湯暖房システム。
【請求項５】
請求項１〜４のいずれか一項に記載の給湯暖房システムであって、
前記給湯暖房熱交換器と、
前記第２温水循環ポンプを有する場合は当該第２温水循環ポンプと、
前記ヒートポンプバイパス経路と前記第１経路切替手段を有する場合は当該ヒートポンプバイパス経路と当該第１経路切替手段と、
前記熱交換器バイパス経路と前記第２経路切替手段を有する場合は当該熱交換器バイパス経路と当該第２経路切替手段と、が一体化された熱交換ユニットが構成されている、
給湯暖房システム。
【請求項６】
請求項１〜４のいずれか一項に記載の給湯暖房システムであって、
前記貯湯タンクと、
前記給湯暖房熱交換器と、
前記第２温水循環ポンプを有する場合は当該第２温水循環ポンプと、
前記ヒートポンプバイパス経路と前記第１経路切替手段を有する場合は当該ヒートポンプバイパス経路と当該第１経路切替手段と、
前記熱交換器バイパス経路と前記第２経路切替手段を有する場合は当該熱交換器バイパス経路と当該第２経路切替手段と、が一体化された貯湯タンクユニットが構成されている、
給湯暖房システム。
【請求項７】
請求項５に記載の給湯暖房システムであって、
前記熱交換ユニットは、
前記第１暖房端末からの暖房循環熱媒が流入する前記暖房経路との接続個所となる第１接続口と、前記第１暖房端末からの暖房循環熱媒を前記燃焼熱源機に向けて吐出する前記暖房経路との接続個所となる第２接続口と、を備えており、
前記貯湯蓄熱経路において前記貯湯タンクからの温水を前記ヒートポンプ装置に導く経路に、前記給湯暖房熱交換器あるいは前記第２温水循環ポンプあるいは前記ヒートポンプバイパス経路あるいは前記第１経路切替手段あるいは前記熱交換器バイパス経路あるいは前記第２経路切替手段、の少なくとも１つが設けられている場合は、前記貯湯タンクからの温水が流入する前記貯湯蓄熱経路との接続個所となる第３接続口と、前記貯湯タンクからの温水を前記ヒートポンプ装置に向けて吐出する前記貯湯蓄熱経路との接続個所となる第４接続口と、を備えており、
前記貯湯蓄熱経路において前記ヒートポンプ装置からの温水を前記貯湯タンクに戻す経路に、前記給湯暖房熱交換器あるいは前記第２温水循環ポンプあるいは前記ヒートポンプバイパス経路あるいは前記第１経路切替手段あるいは前記熱交換器バイパス経路あるいは前記第２経路切替手段、の少なくとも１つが設けられている場合は、前記ヒートポンプ装置から吐出された温水が流入する前記貯湯蓄熱経路との接続個所となる第５接続口と、前記ヒートポンプ装置からの温水を前記貯湯タンクに向けて吐出する前記貯湯蓄熱経路との接続個所となる第６接続口と、を備えている、
給湯暖房システム。
【請求項８】
請求項１〜４のいずれか一項に記載の給湯暖房システムであって、
前記貯湯タンクと、
前記給湯暖房熱交換器と、
前記燃焼熱源機と、
前記第２温水循環ポンプを有する場合は当該第２温水循環ポンプと、
前記ヒートポンプバイパス経路と前記第１経路切替手段を有する場合は当該ヒートポンプバイパス経路と当該第１経路切替手段と、
前記熱交換器バイパス経路と前記第２経路切替手段を有する場合は当該熱交換器バイパス経路と当該第２経路切替手段と、が一体化された一体化ユニットが構成されている、
給湯暖房システム。
【請求項９】
請求項１〜８のいずれか一項に記載の給湯暖房システムであって、
暖房循環熱媒を用いて放熱する単数または複数の第２暖房端末と、
前記第２暖房端末のそれぞれの運転状態を利用者が設定可能なそれぞれの第２暖房端末運転状態設定手段と、を備え、
前記暖房経路における前記燃焼熱源機から暖房循環熱媒が吐出される放熱前経路は、経路分岐手段によって複数に分岐されており、分岐されたそれぞれの放熱前経路は、前記第１暖房端末及び前記第２暖房端末のそれぞれに接続されており、
前記第１暖房端末及び前記第２暖房端末のそれぞれから放熱後の暖房循環熱媒が吐出される放熱後経路のそれぞれは、経路合流手段によってまとめられており、まとめられた放熱後経路は、前記給湯暖房熱交換器に接続されている、
給湯暖房システム。
【発明の詳細な説明】
【技術分野】
【０００１】
本発明は、熱源として燃焼熱源機とヒートポンプ装置とを備えた給湯暖房システムに関する。
【背景技術】
【０００２】
従来、熱源として化石燃料の燃焼の熱を利用した燃焼熱源機と、電気式ヒートポンプ装置とを備え、更に貯湯タンクを備えた給湯暖房装置として、特開２０１０−１７５１５０（特許文献１）が知られている。
特許文献１である特開２０１０−１７５１５０に記載された従来技術では、燃焼熱源機（バーナ等）、ヒートポンプ装置、貯湯タンク、熱交換器等を備え、これらを種々の配管で接続し、種々のバルブやポンプを組み合わせて給湯と床暖房等に利用する、給湯暖房システムを構築している。この従来技術では、ヒートポンプ装置による温水の加熱と温水を床暖房等に経由させて貯湯タンクに戻す場合、且つ給湯負荷と暖房負荷が同時に発生する場合に、温水を貯湯タンクに戻す前に給湯利用し、この給湯利用分だけの上水を貯湯タンクに補給し、これをヒートポンプ装置に流入させてヒートポンプ装置を経由する温水の温度を低下させて暖房運転の高効率化を図っている。
【先行技術文献】
【特許文献】
【０００３】
【特許文献１】特開２０１０−１７５１５０号公報
【発明の概要】
【発明が解決しようとする課題】
【０００４】
特許文献１に記載された従来技術では、貯湯タンク内の温水を給湯と暖房の双方に利用しており、ヒートポンプ装置による温水の加熱と温水を床暖房等に経由させて貯湯タンクに戻す場合、且つ給湯負荷と暖房負荷が同時に発生した場合にしか熱源（この場合、ヒートポンプ装置）の効率を向上させることができない。つまり、暖房運転を行っている間において給湯負荷が発生した場合にのみ効率の向上を図ることができるが、暖房運転中に常に給湯負荷が発生するとは限らず、効率を向上させることができる機会が少ない。
本発明は、このような点に鑑みて創案されたものであり、熱源として燃焼熱源機とヒートポンプ装置とを備えた給湯暖房システムにて、暖房運転時において給湯負荷の発生の有無にかかわらず熱源の効率をより向上させることができる給湯暖房システムを提供することを課題とする。
【課題を解決するための手段】
【０００５】
上記課題を解決するため、本発明に係る給湯暖房システムは次の手段をとる。
まず、本発明の第１の発明は、暖房循環熱媒を蓄えることなく給湯用の温水を蓄える貯湯タンクと、貯湯蓄熱経路からの温水を加熱可能なヒートポンプ装置と、前記貯湯タンクから取り出された温水を前記ヒートポンプ装置に導くとともに前記ヒートポンプ装置にて加熱された温水を前記貯湯タンクに戻すように形成された前記貯湯蓄熱経路と、暖房経路からの暖房循環熱媒を加熱可能な燃焼熱源機と、暖房循環熱媒を用いて放熱する第１暖房端末と、前記第１暖房端末の運転状態を利用者が設定可能な第１暖房端末運転状態設定手段と、前記燃焼熱源機からの暖房循環熱媒を前記第１暖房端末に導くとともに前記第１暖房端末にて放熱した暖房循環熱媒を前記燃焼熱源機に戻すように環状に形成された前記暖房経路と、を備えた給湯暖房システムである。
前記暖房経路におけるいずれかの位置には前記暖房経路内の暖房循環熱媒を循環させることが可能な暖房熱媒循環ポンプが設けられており、前記暖房経路におけるいずれかの位置には当該暖房経路を閉鎖あるいは開口することが可能な弁手段が設けられている。
そして、前記貯湯蓄熱経路におけるいずれかの位置には前記貯湯蓄熱経路内の温水を循環させることが可能な第１温水循環ポンプが設けられており、前記貯湯蓄熱経路におけるいずれかの位置には給湯暖房熱交換器が設けられており、前記暖房経路は、前記燃焼熱源機から前記第１暖房端末を経由した後に前記給湯暖房熱交換器を経由して前記燃焼熱源機に戻るように環状に形成されており、前記給湯暖房熱交換器は、前記第１暖房端末にて放熱した後の暖房循環熱媒の熱を用いて前記貯湯蓄熱経路中の温水を加熱する。
【０００６】
この第１の発明では、貯湯タンク内の温水を給湯のみに利用して暖房には利用しない。そして暖房には、環状に形成した暖房経路にて暖房循環熱媒を循環させる。そして暖房に利用した後の暖房循環熱媒の熱を貯湯タンクの温水の加熱に利用することで、熱源（この場合、燃焼熱源機）に戻された暖房循環熱媒の温度をより低下させることができる。
これにより、暖房運転時において給湯負荷の発生の有無にかかわらず熱源の効率をより向上させることができる。
【０００７】
次に、本発明の第２の発明は、上記第１の発明に係る給湯暖房システムであって、前記第１温水循環ポンプが前記ヒートポンプ装置内に設けられている場合、前記ヒートポンプ装置内を除く前記貯湯蓄熱経路におけるいずれかの位置には、前記貯湯蓄熱経路内の温水を循環させることが可能な第２温水循環ポンプが設けられている。
【０００８】
この第２の発明によれば、第１温水循環ポンプがヒートポンプ装置内に設けられている場合において、ヒートポンプ装置が動作していない場合であっても、第２温水循環ポンプを用いて貯湯蓄熱経路の温水を適切に循環させることが可能であり、暖房循環熱媒の熱を貯湯タンクに蓄熱することができる。
【０００９】
次に、本発明の第３の発明は、上記第２の発明に係る給湯暖房システムであって、前記貯湯蓄熱経路において前記貯湯タンクの温水を前記ヒートポンプ装置に導く第１流入側経路と、前記貯湯蓄熱経路において前記ヒートポンプ装置からの温水を前記貯湯タンクに戻す第１吐出側経路と、を連結して前記ヒートポンプ装置をバイパス可能となるようにヒートポンプバイパス経路が設けられている。
そして、前記ヒートポンプバイパス経路と前記第１流入側経路との接続個所あるいは前記ヒートポンプバイパス経路と前記第１吐出側経路との接続個所には、前記貯湯タンクからの温水を前記ヒートポンプバイパス経路に流すことなく前記ヒートポンプ装置に向けて流す、あるいは前記貯湯タンクからの温水を前記ヒートポンプ装置に向けて流すことなく前記ヒートポンプバイパス経路に流すように切替可能な第１経路切替手段が設けられており、前記第２温水循環ポンプと前記給湯暖房熱交換器は、前記ヒートポンプバイパス経路に対して前記ヒートポンプ装置の側でなく前記貯湯タンクの側に設けられている。
【００１０】
この第３の発明によれば、貯湯蓄熱経路の温水を給湯暖房熱交換器で加熱しておりヒートポンプ装置を特に必要としない場合において、適切にヒートポンプ装置をバイパスすることが可能であり、無駄な放熱を抑制し、より効率よく暖房循環熱媒の熱を貯湯タンクに蓄熱することができる。
【００１１】
次に、本発明の第４の発明は、上記第１の発明〜第３の発明のいずれか１つに係る給湯暖房システムであって、前記給湯暖房熱交換器に接続された前記貯湯蓄熱経路において温水が流入する側である第２流入側経路と、前記給湯暖房熱交換器に接続された前記貯湯蓄熱経路において温水が吐出される側である第２吐出側経路と、を連結して前記給湯暖房熱交換器をバイパス可能となるように熱交換器バイパス経路が設けられている。
そして、前記熱交換器バイパス経路と前記第２流入側経路との接続個所あるいは前記熱交換器バイパス経路と前記第２吐出側経路との接続個所には、温水を前記熱交換器バイパス経路に流すことなく前記給湯暖房熱交換器に向けて流す、あるいは温水を前記給湯暖房熱交換器に向けて流すことなく前記熱交換器バイパス経路に流すように切替可能な第２経路切替手段が設けられている。
【００１２】
この第４の発明によれば、暖房運転していない場合であって貯湯蓄熱経路の温水をヒートポンプ装置で加熱している場合において、適切に給湯暖房熱交換器をバイパスすることが可能であり、無駄な放熱を抑制し、より効率よくヒートポンプ装置にて貯湯タンクに蓄熱することができる。
【００１３】
次に、本発明の第５の発明は、上記第１の発明〜第４の発明のいずれか１つに係る給湯暖房システムであって、前記給湯暖房熱交換器と、前記第２温水循環ポンプを有する場合は当該第２温水循環ポンプと、前記ヒートポンプバイパス経路と前記第１経路切替手段を有する場合は当該ヒートポンプバイパス経路と当該第１経路切替手段と、前記熱交換器バイパス経路と前記第２経路切替手段を有する場合は当該熱交換器バイパス経路と当該第２経路切替手段と、が一体化された熱交換ユニットが構成されている。
【００１４】
この第５の発明によれば、給湯暖房熱交換器等が一体化された熱交換ユニットを構成することで、貯湯蓄熱経路に給湯暖房熱交換器等を取り付ける作業を、より効率よく行うことができる。
【００１５】
次に、本発明の第６の発明は、上記第１の発明〜第４の発明のいずれか１つに係る給湯暖房システムであって、前記貯湯タンクと、前記給湯暖房熱交換器と、前記第２温水循環ポンプを有する場合は当該第２温水循環ポンプと、前記ヒートポンプバイパス経路と前記第１経路切替手段を有する場合は当該ヒートポンプバイパス経路と当該第１経路切替手段と、前記熱交換器バイパス経路と前記第２経路切替手段を有する場合は当該熱交換器バイパス経路と当該第２経路切替手段と、が一体化された貯湯タンクユニットが構成されている。
【００１６】
この第６の発明によれば、貯湯タンクと給湯暖房熱交換器等が一体化された貯湯タンクユニットを構成することで、貯湯蓄熱経路に給湯暖房熱交換器等を取り付ける作業を省略することが可能であり、給湯暖房システムを現場に設置する作業を、より効率よく行うことができる。
【００１７】
次に、本発明の第７の発明は、上記第５の発明に係る給湯暖房システムであって、前記熱交換ユニットは、前記第１暖房端末からの暖房循環熱媒が流入する前記暖房経路との接続個所となる第１接続口と、前記第１暖房端末からの暖房循環熱媒を前記燃焼熱源機に向けて吐出する前記暖房経路との接続個所となる第２接続口と、を備えている。
また、熱交換ユニットは、前記貯湯蓄熱経路において前記貯湯タンクからの温水を前記ヒートポンプ装置に導く経路に、前記給湯暖房熱交換器あるいは前記第２温水循環ポンプあるいは前記ヒートポンプバイパス経路あるいは前記第１経路切替手段あるいは前記熱交換器バイパス経路あるいは前記第２経路切替手段、の少なくとも１つが設けられている場合は、前記貯湯タンクからの温水が流入する前記貯湯蓄熱経路との接続個所となる第３接続口と、前記貯湯タンクからの温水を前記ヒートポンプ装置に向けて吐出する前記貯湯蓄熱経路との接続個所となる第４接続口と、を備えている。
また、熱交換ユニットは、前記貯湯蓄熱経路において前記ヒートポンプ装置からの温水を前記貯湯タンクに戻す経路に、前記給湯暖房熱交換器あるいは前記第２温水循環ポンプあるいは前記ヒートポンプバイパス経路あるいは前記第１経路切替手段あるいは前記熱交換器バイパス経路あるいは前記第２経路切替手段、の少なくとも１つが設けられている場合は、前記ヒートポンプ装置から吐出された温水が流入する前記貯湯蓄熱経路との接続個所となる第５接続口と、前記ヒートポンプ装置からの温水を前記貯湯タンクに向けて吐出する前記貯湯蓄熱経路との接続個所となる第６接続口と、を備えている。
【００１８】
この第７の発明によれば、熱交換ユニットに必要な接続口を適切に設け、熱交換ユニットをより適切な構成とすることができる。
【００１９】
次に、本発明の第８の発明は、上記第１の発明〜第４の発明のいずれか１つに係る給湯暖房システムであって、前記貯湯タンクと、前記給湯暖房熱交換器と、前記燃焼熱源機と、前記第２温水循環ポンプを有する場合は当該第２温水循環ポンプと、前記ヒートポンプバイパス経路と前記第１経路切替手段を有する場合は当該ヒートポンプバイパス経路と当該第１経路切替手段と、前記熱交換器バイパス経路と前記第２経路切替手段を有する場合は当該熱交換器バイパス経路と当該第２経路切替手段と、が一体化された一体化ユニットが構成されている。
【００２０】
この第８の発明によれば、燃焼熱源機と貯湯タンクと給湯暖房熱交換器等が一体化された一体化ユニットを構成することで、給湯暖房システムを現場に設置する作業を、より効率よく行うことができる。
また、各機器を近接させて配置することになるので、温水や暖房循環熱媒の各経路をより短くすることが可能であり、各経路からの無駄な放熱を抑制し、より効率よく給湯や暖房を行うことができる。
【００２１】
次に、本発明の第９の発明は、上記第１の発明〜第８の発明のいずれか１つに係る給湯暖房システムであって、暖房循環熱媒を用いて放熱する単数または複数の第２暖房端末と、前記第２暖房端末のそれぞれの運転状態を利用者が設定可能なそれぞれの第２暖房端末運転状態設定手段と、を備えている。
そして、前記暖房経路における前記燃焼熱源機から暖房循環熱媒が吐出される放熱前経路は、経路分岐手段によって複数に分岐されており、分岐されたそれぞれの放熱前経路は、前記第１暖房端末及び前記第２暖房端末のそれぞれに接続されており、前記第１暖房端末及び前記第２暖房端末のそれぞれから放熱後の暖房循環熱媒が吐出される放熱後経路のそれぞれは、経路合流手段によってまとめられており、まとめられた放熱後経路は、前記給湯暖房熱交換器に接続されている。
【００２２】
この第９の発明によれば、暖房端末が複数の場合であっても、利用した暖房端末にかかわらず、暖房に利用した後の暖房循環熱媒の熱を貯湯タンクの温水の加熱に利用することで、熱源（この場合、燃焼熱源機）に戻された暖房循環熱媒の温度をより低下させることができる。
これにより、暖房運転時において給湯負荷の発生の有無にかかわらず熱源の効率をより向上させることができる。
【図面の簡単な説明】
【００２３】
【図１】第１の実施の形態の給湯暖房システム１Ａの構成の例を説明する図である。
【図２】第２の実施の形態の給湯暖房システム１Ｂの構成の例を説明する図である。
【図３】第３の実施の形態の給湯暖房システム１Ｃの構成の例を説明する図である。
【図４】第４の実施の形態の給湯暖房システム１Ｄの構成の例を説明する図である。
【図５】第５の実施の形態の給湯暖房システム１Ｅの構成の例を説明する図である。
【図６】第７の実施の形態において熱交換ユニット５０に、貯湯蓄熱経路ＨＢ及び暖房経路ＨＦとの接続口（Ｓ１〜Ｓ６）を適切に設ける例を説明する図である。
【図７】第９の実施の形態の給湯暖房システムにおいて複数の暖房端末の接続を説明する図である。
【図８】従来の給湯暖房システム１００の構成を説明する図である。
【発明を実施するための形態】
【００２４】
以下に本発明を実施するための形態を図面を用いて説明する。なお、各図において、点線Ｒ、Ｒ１、Ｒ２にて囲まれた内部は暖房を利用する室内を示し、点線Ｒ、Ｒ１、Ｒ２にて囲まれた内部を除いた周囲は屋外を示している。
●［従来の給湯暖房システム１００の構成（図８）］
まず、図８を用いて従来の給湯暖房システム１００の構成について説明する。
従来の給湯暖房システム１００は、熱源としてヒートポンプ装置２０と燃焼熱源機３０とを備え、更に、貯湯タンク装置１０、第１暖房端末４０等を有している。
【００２５】
貯湯タンク装置１０は、貯湯タンク１２と、混合装置１３と、タンク制御手段１１と、を有している。
貯湯タンク１２は、暖房循環熱媒を蓄えることなく給湯用の温水を蓄えている。
貯湯タンク１２には、貯湯タンク１２から取り出された温水をヒートポンプ装置２０に導くとともにヒートポンプ装置２０にて加熱された温水を貯湯タンク１２に戻すように形成された貯湯蓄熱経路ＨＢが接続されている。
また貯湯タンク１２には、給水（上水）を貯湯タンク１２に導く給水経路ＨＡが接続され、貯湯タンク１２内の温水を混合装置１３に導く温水吐出経路ＨＣが接続されている。
混合装置１３は、温水吐出経路ＨＣから供給された温水と給水経路ＨＡから供給された給水とを混合した混合水、あるいは給湯加熱経路ＨＤを経由して加熱された混合水を、給湯経路ＨＥへ吐出する。
また混合装置１３には、混合水を燃焼熱源機３０に導くとともに燃焼熱源機３０にて加熱された混合水を混合装置１３に戻すように形成された給湯加熱経路ＨＤが接続されている。
タンク制御手段１１は、無線あるいは有線（通信線Ｔ１）にて熱源機制御手段３１との間で種々の情報を送受信可能であり、無線あるいは有線（通信線Ｔ２）にてヒートポンプ制御手段２１との間で種々の情報を送受信することが可能であり、送受信した種々の情報等に基づいて混合装置１３の動作を制御し、給湯経路ＨＥから吐出される混合水の温度を調整する。
なお、混合装置１３は、温度検出手段、流量検出手段、経路切替手段等を有しており、詳細については説明を省略する。
【００２６】
ヒートポンプ装置２０は、例えば電気式のヒートポンプ装置であり、ヒートポンプ２２、ヒートポンプ熱交換器２３、ヒートポンプ制御手段２１、温水循環ポンプ２４（第１温水循環ポンプに相当）を有している。またヒートポンプ装置２０には貯湯蓄熱経路ＨＢが接続されている。
ヒートポンプ制御手段２１は、無線あるいは有線（通信線Ｔ２）にてタンク制御手段１１との間で種々の情報を送受信可能である。
そしてヒートポンプ制御手段２１は、タンク制御手段１１から受信した情報に基づいて、温水循環ポンプ２４を制御して貯湯蓄熱経路ＨＢの温水を循環させ、ヒートポンプ２２を制御してヒートポンプ熱交換器２３を介して貯湯蓄熱経路ＨＢの温水を加熱する。
【００２７】
燃焼熱源機３０は、熱源機制御手段３１と、燃焼加熱手段３２と、熱源機熱交換器３３、３４、暖房熱媒循環ポンプ３５と、を有している。
また燃焼熱源機３０には、暖房循環熱媒を燃焼熱源機３０から第１暖房端末４０に導くとともに第１暖房端末４０にて放熱した暖房循環熱媒を燃焼熱源機３０に戻すように環状に形成された暖房経路ＨＹと、給湯加熱経路ＨＤと、が接続されている。
燃焼加熱手段３２には、燃料（都市ガスや灯油等）が供給される燃料経路ＨＺが接続されており、燃料の燃焼によって発生した熱を用いて熱源機熱交換器３３を介して給湯加熱経路ＨＤの混合水を加熱することが可能であり、熱源機熱交換器３４を介して暖房経路ＨＹの暖房循環熱媒を加熱することが可能である。
また暖房熱媒循環ポンプ３５は、暖房経路ＨＹの暖房循環熱媒を循環させる。
熱源機制御手段３１は、無線あるいは有線（通信線Ｔ１）にてタンク制御手段１１との間で種々の情報の送受信が可能である。また熱源機制御手段３１は、無線あるいは有線（通信線Ｔ３）にて給湯設定手段３７との間で種々の情報の送受信が可能であり、無線あるいは有線（通信線Ｔ４）にて第１端末制御手段４１との間で種々の情報の送受信を行うことが可能である。
そして熱源機制御手段３１は、タンク制御手段１１あるいは給湯設定手段３７あるいは第１端末制御手段４１から受信した情報に基づいて、燃焼加熱手段３２と暖房熱媒循環ポンプ３５を制御する。
【００２８】
第１暖房端末４０は、第１端末制御手段４１と弁手段４２を有しており、暖房経路ＨＹが接続されている。
例えば第１暖房端末４０は浴室の乾燥機等であり、暖房経路ＨＹから供給される暖房循環熱媒（例えば温水）を用いて放熱する。
また第１端末制御手段４１は、無線あるいは有線（通信線Ｔ５）にて第１暖房設定手段４７（第１暖房端末運転状態設定手段に相当）との間で種々の情報を送受信可能であり、無線あるいは有線（通信線Ｔ４）にて燃焼熱源機３０の熱源機制御手段３１との間で種々の情報を送受信可能であり、弁手段４２を制御することが可能である。
弁手段４２は、第１端末制御手段４１からの制御信号に基づいて暖房経路ＨＹの開度量を調節し、暖房循環熱媒の供給量を調節する。
なお、給湯設定手段３７と第１暖房設定手段４７は、一体化されていてもよい。
【００２９】
利用者は、給湯を所望する場合、屋内Ｒに配置された給湯設定手段３７から給湯温度等を設定する。すると、給湯設定手段３７に入力された情報に基づいた設定情報が、給湯設定手段３７から熱源機制御手段３１に送信され、更に熱源機制御手段３１からヒートポンプ制御手段２１に送信される。すると、貯湯タンク装置１０、ヒートポンプ装置２０、燃焼熱源機３０は、設定情報に基づいて連動して動作し、利用者は、給湯経路ＨＥから所望した温度の混合水を得ることができる。
また利用者は、第１暖房端末４０の暖房運転を所望する場合、屋内Ｒに配置された第１暖房設定手段４７から暖房運転の開始等を設定する。すると、第１暖房設定手段４７に入力された情報に基づいた設定情報が、第１暖房設定手段４７から第１端末制御手段４１に送信され、更に第１端末制御手段４１から熱源機制御手段３１に送信される。すると、第１暖房端末４０、燃焼熱源機３０は、設定情報に基づいて連動して動作し、利用者は、第１暖房端末４０を所望した運転状態とすることができる。
【００３０】
以上に説明した従来の給湯暖房システム１００では、第１暖房端末４０を暖房運転しているとき、放熱後の暖房循環熱媒が燃焼熱源機３０に流入する場合に、その流入温度が比較的高い場合、燃焼熱源機３０の暖房運転効率が低下する。
以下に説明する本実施の形態の給湯暖房システムでは、給湯負荷の有無にかかわらず、燃焼熱源機３０に流入する暖房循環熱媒の温度をより低下させ、燃焼熱源機３０（熱源）の暖房運転効率をより向上させる。
【００３１】
●［第１の実施の形態の給湯暖房システム１Ａの構成（図１）］
次に図１を用いて、第１の実施の形態の給湯暖房システム１Ａの構成について説明する。図１に示す第１の実施の形態の給湯暖房システム１Ａは、図８に示す従来の給湯暖房システム１００に対して、貯湯蓄熱経路ＨＢに給湯暖房熱交換器５２を追加し、暖房経路ＨＦを延長して給湯暖房熱交換器５２に接続している点が異なる。以下、この相違点について主に説明する。
【００３２】
給湯暖房熱交換器５２は、貯湯蓄熱経路ＨＢにおけるいずれかの位置に設けられている。なお、図１に示す例では、給湯暖房熱交換器５２を、貯湯蓄熱経路ＨＢにおける、貯湯タンク１２から吐出された温水がヒートポンプ装置２０に流入されるまでの経路に設けた例を示しているが、点線にて示すように、ヒートポンプ装置２０から吐出された温水が貯湯タンク１２に流入されるまでの経路に設けてもよい。
そして暖房経路ＨＦは、燃焼熱源機３０から第１暖房端末４０を経由した後に給湯暖房熱交換器５２を経由して燃焼熱源機３０に戻るように環状に形成されている。
また、暖房熱媒循環ポンプ３５、弁手段４２は、暖房経路ＨＦにおけるいずれかの位置に設けられている。
【００３３】
この構成を有することで、第１暖房端末４０から吐出された暖房循環熱媒の熱を貯湯タンク１２の温水の加熱に利用し、燃焼熱源機３０（熱源）に戻された暖房循環熱媒の温度をより低下させることができる。
これにより、暖房運転時において給湯負荷の発生の有無にかかわらず、燃焼熱源機３０（熱源）の効率をより向上させることができる。
なお、貯湯蓄熱経路ＨＢの温水は給湯暖房熱交換器５２にて加熱されるので、この場合はヒートポンプ２２の運転を停止し、温水循環ポンプ２４を駆動する。
なお、図１の例では温水循環ポンプ２４をヒートポンプ装置２０の内部に設けた例を示しているが、温水循環ポンプ２４（第１温水循環ポンプ）は、貯湯蓄熱経路ＨＢにおけるいずれかの位置に設けられている。
【００３４】
●［第２の実施の形態の給湯暖房システム１Ｂの構成（図２）］
次に図２を用いて、第２の実施の形態の給湯暖房システム１Ｂの構成について説明する。図２に示す第２の実施の形態の給湯暖房システム１Ｂは、図１に示す第１の実施の形態の給湯暖房システム１Ａに対して、熱交換制御手段５１、温水循環ポンプ５３、通信線Ｔ６が追加されている点が異なる。以下、この相違点について主に説明する。
【００３５】
熱交換制御手段５１は、無線または有線（通信線Ｔ６）にてタンク制御手段１１との間で種々の情報を送受信可能である。なお、熱交換制御手段５１の通信相手は、タンク制御手段１１に限定されず、熱源機制御手段３１であってもよい。そして熱交換制御手段５１は、受信した情報に基づいて温水循環ポンプ５３（第２温水循環ポンプに相当）を制御する。すなわち、熱交換制御手段５１は、給湯暖房熱交換器５２を用いて貯湯蓄熱経路ＨＢの温水を加熱している場合、且つ温水循環ポンプ２４（第１温水循環ポンプ）がヒートポンプ装置２０内に設けられている場合（ヒートポンプ装置２０の停止中は温水循環ポンプ２４を駆動できない場合）、温水循環ポンプ５３を駆動して貯湯蓄熱経路ＨＢの温水を循環させる。
なお、図２に示す例では、給湯暖房熱交換器５２、温水循環ポンプ５３を、貯湯蓄熱経路ＨＢにおける、貯湯タンク１２から吐出された温水がヒートポンプ装置２０に流入されるまでの経路に設けた例を示しているが、点線にて示すように、ヒートポンプ装置２０から吐出された温水が貯湯タンク１２に流入されるまでの経路に設けてもよい。
この構成を有することで、ヒートポンプ装置２０が動作していない場合であっても、温水循環ポンプ５３（第２温水循環ポンプ）を用いて貯湯蓄熱経路ＨＢの温水を適切に循環させることが可能であり、暖房循環熱媒の熱を貯湯タンクに蓄熱することができる。
【００３６】
●［第３の実施の形態の給湯暖房システム１Ｃの構成（図３）］
次に図３を用いて、第３の実施の形態の給湯暖房システム１Ｃの構成について説明する。図３に示す第３の実施の形態の給湯暖房システム１Ｃは、図２に示す第２の実施の形態の給湯暖房システム１Ｂに対して、ヒートポンプバイパス経路ＢＡ、第１経路切替手段５４が追加されている点が異なる。以下、この相違点について主に説明する。
【００３７】
ヒートポンプバイパス経路ＢＡは、貯湯蓄熱経路ＨＢにおいて貯湯タンク１２の温水をヒートポンプ装置２０に導く第１流入側経路（温水を貯湯タンク１２から吐出してヒートポンプ装置２０に流入させる経路）と、貯湯蓄熱経路ＨＢにおいてヒートポンプ装置２０からの温水を貯湯タンク１２に戻す第１吐出側経路（温水をヒートポンプ装置２０から吐出して貯湯タンク１２に流入させる経路）と、を連結してヒートポンプ装置２０をバイパス可能となるように設けられている。
そしてヒートポンプバイパス経路ＢＡと第１流入側経路との接続個所あるいはヒートポンプバイパス経路ＢＡと第１吐出側経路との接続個所には、第１経路切替手段５４が設けられている。
なお、図３に示す例では、給湯暖房熱交換器５２、温水循環ポンプ５３を、貯湯蓄熱経路ＨＢにおける、貯湯タンク１２から吐出された温水がヒートポンプ装置２０に流入されるまでの経路に設けた例を示しているが、ヒートポンプ装置２０から吐出された温水が貯湯タンク１２に流入されるまでの経路に設けてもよい。なお、給湯暖房熱交換器５２と温水循環ポンプ５３は、ヒートポンプバイパス経路ＢＡに対して、ヒートポンプ装置２０の側でなく貯湯タンク１２の側に設けられている。
また温水循環ポンプ２４が貯湯蓄熱経路ＨＢのうち、ヒートポンプバイパス経路ＢＡに対して貯湯タンク１２の側に設けられており、ヒートポンプ装置２０の停止中であっても駆動できる場合は、温水循環ポンプ５３を省略してもよい。
【００３８】
熱交換制御手段５１は、貯湯蓄熱経路ＨＢの温水を給湯暖房熱交換器５２にて加熱してヒートポンプ装置２０を停止している場合、温水循環ポンプ５３を駆動し、貯湯タンク１２からの温水をヒートポンプ装置２０に向けて流すことなくヒートポンプバイパス経路ＢＡに流すように第１経路切替手段５４を制御する。
また、熱交換制御手段５１は、貯湯蓄熱経路ＨＢの温水を給湯暖房熱交換器５２ではなくヒートポンプ装置２０にて加熱している場合、温水循環ポンプ５３を停止し、貯湯タンク１２からの温水をヒートポンプバイパス経路ＢＡに流すことなくヒートポンプ装置２０に向けて流すように第１経路切替手段５４を制御する。
これにより、貯湯蓄熱経路ＨＢの温水を給湯暖房熱交換器５２で加熱しておりヒートポンプ装置２０を特に必要としない場合において、適切にヒートポンプ装置２０をバイパスすることが可能であり、無駄な放熱を抑制し、より効率よく暖房循環熱媒の熱を貯湯タンク１２に蓄熱することができる。
【００３９】
●［第４の実施の形態の給湯暖房システム１Ｄの構成（図４）］
次に図４を用いて、第４の実施の形態の給湯暖房システム１Ｄの構成について説明する。図４に示す第４の実施の形態の給湯暖房システム１Ｄは、図３に示す第３の実施の形態の給湯暖房システム１Ｃに対して、熱交換器バイパス経路ＢＢ、第２経路切替手段５５が追加されている点が異なる。以下、この相違点について主に説明する。
なお図４に示す給湯暖房システム１Ｄは、図３に示す給湯暖房システム１Ｃに対して熱交換器バイパス経路ＢＢ、第２経路切替手段５５を追加した図を示しているが、図１に示す給湯暖房システム１Ａに対して熱交換器バイパス経路ＢＢ、第２経路切替手段５５を追加してもよいし、図２に示す給湯暖房システム１Ｂに対して熱交換器バイパス経路ＢＢ、第２経路切替手段５５を追加してもよい。
【００４０】
熱交換器バイパス経路ＢＢは、給湯暖房熱交換器５２に接続された貯湯蓄熱経路ＨＢにおいて温水が流入する側である第２流入側経路と、給湯暖房熱交換器５２に接続された貯湯蓄熱経路ＨＢにおいて温水が吐出される側である第２吐出側経路と、を連結して給湯暖房熱交換器５２をバイパス可能となるように設けられている。
そして熱交換器バイパス経路ＢＢと第２流入側経路との接続個所あるいは熱交換器バイパス経路ＢＢと第２吐出側経路との接続個所には、第２経路切替手段５５が設けられている。
なお、図４に示す例では、給湯暖房熱交換器５２、温水循環ポンプ５３を、貯湯蓄熱経路ＨＢにおける、貯湯タンク１２から吐出された温水がヒートポンプ装置２０に流入されるまでの経路に設けた例を示しているが、ヒートポンプ装置２０から吐出された温水が貯湯タンク１２に流入されるまでの経路に設けてもよい。
また温水循環ポンプ２４がヒートポンプ装置２０の外部に設けられてヒートポンプ装置２０の停止中であっても駆動できる場合は、温水循環ポンプ５３を省略してもよい。ただし、ヒートポンプバイパス経路ＢＡと第１経路切替手段５４が設けられている場合における温水循環ポンプ５３の省略は、温水循環ポンプ２４が貯湯蓄熱経路ＨＢのうち、ヒートポンプバイパス経路ＢＡに対して貯湯タンク１２の側に設けられていることが前提となる。
【００４１】
熱交換制御手段５１は、貯湯蓄熱経路ＨＢの温水を給湯暖房熱交換器５２にて加熱してヒートポンプ装置２０を停止している場合、温水循環ポンプ５３を駆動し、貯湯タンク１２からの温水を熱交換器バイパス経路ＢＢに流すことなく給湯暖房熱交換器５２に流すように第２経路切替手段５５を制御する。
また、熱交換制御手段５１は、貯湯蓄熱経路ＨＢの温水を給湯暖房熱交換器５２ではなくヒートポンプ装置２０にて加熱している場合、貯湯タンク１２からの温水を給湯暖房熱交換器５２に流すことなく熱交換器バイパス経路ＢＢに流すように第２経路切替手段５５を制御する。
これにより、暖房運転していない場合であって貯湯蓄熱経路ＨＢの温水をヒートポンプ装置２０で加熱している場合において、適切に給湯暖房熱交換器５２をバイパスすることが可能であり、無駄な放熱を抑制し、より効率よくヒートポンプ装置２０にて貯湯タンク１２に蓄熱することができる。
【００４２】
●［第５の実施の形態の給湯暖房システム１Ｅの構成（図５）］
次に図５を用いて、第５の実施の形態の給湯暖房システム１Ｅの構成について説明する。図５に示す第５の実施の形態の給湯暖房システム１Ｅは、図４に示す第４の実施の形態の給湯暖房システム１Ｄに対して、熱交換制御手段５１、給湯暖房熱交換器５２、温水循環ポンプ５３、ヒートポンプバイパス経路ＢＡ、第１経路切替手段５４、熱交換器バイパス経路ＢＢ、第２経路切替手段５５が一体化された熱交換ユニット５０が構成されている点が異なる。以下、この相違点について主に説明する。
【００４３】
熱交換ユニット５０は、給湯暖房熱交換器５２と、熱交換制御手段５１を有する場合は熱交換制御手段５１と、温水循環ポンプ５３を有する場合は温水循環ポンプ５３と、ヒートポンプバイパス経路ＢＡと第１経路切替手段５４を有する場合はヒートポンプバイパス経路ＢＡと第１経路切替手段５４と、熱交換器バイパス経路ＢＢと第２経路切替手段５５を有する場合は熱交換器バイパス経路ＢＢと第２経路切替手段５５と、が一体化されている。なお、熱交換ユニット５０は、第１の実施の形態の給湯暖房システム１Ａ〜第４の実施の形態の給湯暖房システム１Ｄのいずれにおいても構成することができる。
給湯暖房熱交換器等が一体化された熱交換ユニット５０を構成することで、作業者は、貯湯蓄熱経路ＨＢに給湯暖房熱交換器等を取り付ける作業を、より効率よく行うことができる。
【００４４】
●［第６の実施の形態の給湯暖房システムの構成］
次に、第６の実施の形態の給湯暖房システムの構成について説明する。第６の実施の形態の給湯暖房システムは、図示省略するが、図４に示す第４の実施の形態の給湯暖房システム１Ｄに対して、貯湯タンク１２、熱交換制御手段５１、給湯暖房熱交換器５２、温水循環ポンプ５３、ヒートポンプバイパス経路ＢＡ、第１経路切替手段５４、熱交換器バイパス経路ＢＢ、第２経路切替手段５５が一体化された貯湯タンクユニットが構成されている点が異なる。以下、この相違点について主に説明する。
【００４５】
貯湯タンクユニットは、貯湯タンク１２と、給湯暖房熱交換器５２と、熱交換制御手段５１を有する場合は熱交換制御手段５１と、温水循環ポンプ５３を有する場合は温水循環ポンプ５３と、ヒートポンプバイパス経路ＢＡと第１経路切替手段５４を有する場合はヒートポンプバイパス経路ＢＡと第１経路切替手段５４と、熱交換器バイパス経路ＢＢと第２経路切替手段５５を有する場合は熱交換器バイパス経路ＢＢと第２経路切替手段５５と、が一体化されている。なお、貯湯タンクユニットは、第１の実施の形態の給湯暖房システム１Ａ〜第４の実施の形態の給湯暖房システム１Ｄのいずれにおいても構成することができる。
貯湯タンクと給湯暖房熱交換器等が一体化された貯湯タンクユニットを構成することで、作業者は、貯湯蓄熱経路ＨＢに給湯暖房熱交換器等を取り付ける作業を省略することが可能であり、給湯暖房システムを現場に設置する作業を、より効率よく行うことができる。
【００４６】
●［第７の実施の形態の給湯暖房システム（図６）］
次に、第７の実施の形態の給湯暖房システムについて説明する。第７の実施の形態の給湯暖房システムの特徴は、図５に示した熱交換ユニット５０において、貯湯蓄熱経路ＨＢ及び暖房経路ＨＦとの接続口を適切に設けたものである。
図６（Ａ）〜（Ｃ）は、熱交換ユニット５０の各例と、各例において貯湯蓄熱経路ＨＢ及び暖房経路ＨＦとの接続口（Ｓ１〜Ｓ６）を適切に設けた例を示している。なお、熱交換ユニット５０の種類は、図６（Ａ）〜（Ｃ）に示すものに限定されず、種々のものがあるが、接続口（Ｓ１〜Ｓ６）の設け方は、図６（Ａ）〜（Ｃ）に示す３種類となる。
【００４７】
図６（Ａ）〜（Ｃ）に示すように、熱交換ユニット５０は、第１暖房端末４０からの暖房循環熱媒が流入する暖房経路ＨＦとの接続個所となる第１接続口Ｓ１と、第１暖房端末４０からの暖房循環熱媒を燃焼熱源機３０に向けて吐出する暖房経路ＨＦとの接続個所となる第２接続口Ｓ２と、を備えている。
また図６（Ａ）及び（Ｂ）に示すように、貯湯蓄熱経路ＨＢにおいて貯湯タンク１２からの温水をヒートポンプ装置２０に導く経路（貯湯タンクの吐出口１２Ａからヒートポンプ装置の流入口２０Ａに至る経路）に、給湯暖房熱交換器５２あるいは温水循環ポンプ５３あるいはヒートポンプバイパス経路ＢＡあるいは第１経路切替手段５４あるいは熱交換器バイパス経路ＢＢあるいは第２経路切替手段５５、の少なくとも１つが設けられている場合は、貯湯タンク１２からの温水が流入する貯湯蓄熱経路ＨＢとの接続個所となる第３接続口Ｓ３と、貯湯タンク１２からの温水をヒートポンプ装置２０に向けて吐出する貯湯蓄熱経路ＨＢとの接続個所となる第４接続口Ｓ４と、を備えている。
また図６（Ａ）及び（Ｃ）に示すように、貯湯蓄熱経路ＨＢにおいてヒートポンプ装置２０からの温水を貯湯タンク１２に戻す経路（ヒートポンプ装置の吐出口２０Ｂから貯湯タンク１２の流入口１２Ｂに至る経路）に、給湯暖房熱交換器５２あるいは温水循環ポンプ５３あるいはヒートポンプバイパス経路ＢＡあるいは第１経路切替手段５４あるいは熱交換器バイパス経路ＢＢあるいは第２経路切替手段５５、の少なくとも１つが設けられている場合は、ヒートポンプ装置２０から吐出された温水が流入する貯湯蓄熱経路ＨＢとの接続個所となる第５接続口Ｓ５と、ヒートポンプ装置２０からの温水を貯湯タンク１２に向けて吐出する貯湯蓄熱経路ＨＢとの接続個所となる第６接続口Ｓ６と、を備えている。
このように、熱交換ユニット５０に、必要な接続口を適切に設け、熱交換ユニット５０をより適切な構成とすることができる。
【００４８】
●［第８の実施の形態の給湯暖房システムの構成］
次に、第８の実施の形態の給湯暖房システムの構成について説明する。第８の実施の形態の給湯暖房システムは、図示省略するが、図４に示す第４の実施の形態の給湯暖房システム１Ｄに対して、燃焼熱源機３０、貯湯タンク１２、タンク制御手段１１、混合装置１３、熱交換制御手段５１、給湯暖房熱交換器５２、温水循環ポンプ５３、ヒートポンプバイパス経路ＢＡ、第１経路切替手段５４、熱交換器バイパス経路ＢＢ、第２経路切替手段５５が一体化された一体化ユニットが構成されている点が異なる。以下、この相違点について主に説明する。
【００４９】
一体化ユニットは、燃焼熱源機３０、貯湯タンク１２と、タンク制御手段１１と、給湯暖房熱交換器５２と、熱交換制御手段５１を有する場合は熱交換制御手段５１と、温水循環ポンプ５３を有する場合は温水循環ポンプ５３と、ヒートポンプバイパス経路ＢＡと第１経路切替手段５４を有する場合はヒートポンプバイパス経路ＢＡと第１経路切替手段５４と、熱交換器バイパス経路ＢＢと第２経路切替手段５５を有する場合は熱交換器バイパス経路ＢＢと第２経路切替手段５５と、が一体化されている。なお、一体化ユニットは、第１の実施の形態の給湯暖房システム１Ａ〜第４の実施の形態の給湯暖房システム１Ｄのいずれにおいても構成することができる。
また、一体化ユニットを構成する各要素を化粧カバー等にて覆って一体化するようにしてもよい。
燃焼熱源機と貯湯タンクと混合装置と給湯暖房熱交換器等が一体化された一体化ユニットを構成することで、作業者は、給湯暖房システムを現場に設置する作業を、より効率よく行うことができる。
また、各機器を近接させて配置することになるので、温水や暖房循環熱媒の各経路をより短くすることが可能であり、各経路からの無駄な放熱を抑制し、より効率よく給湯や暖房を行うことができる。
【００５０】
●［第９の実施の形態の給湯暖房システム（図７）］
次に、第９の実施の形態の給湯暖房システムについて説明する。第９の実施の形態の給湯暖房システムの説明では、第１〜第８の実施の形態にて説明した給湯暖房システムにおいて、暖房端末が複数の場合の例を示しており、２つ以上の暖房端末の接続方法（暖房経路ＨＦの分岐方法）について説明する。
図７は、２つの暖房端末（第１暖房端末４０、第２暖房端末６０）を、暖房経路ＨＦに接続した場合の例を示しており、暖房経路ＨＦ及び暖房経路ＨＦに関連する機器等を抽出した図であり、他の機器等については記載を省略している。
【００５１】
第１暖房端末４０は、既に説明しているとおり、例えば浴室Ｒ１の乾燥機であり、暖房循環熱媒を用いて放熱し、第１端末制御手段４１と弁手段４２を有しており、暖房経路ＨＦＡが接続されている。
また第１端末制御手段４１は、無線あるいは有線（通信線Ｔ５）にて第１暖房設定手段４７（第１暖房端末運転状態設定手段に相当）との間で種々の情報を送受信可能であり、無線あるいは有線（通信線Ｔ４）にて燃焼熱源機３０の熱源機制御手段３１との間で種々の情報を送受信可能であり、弁手段４２を制御することが可能である。
弁手段４２は、第１端末制御手段４１からの制御信号に基づいて暖房経路ＨＦＡの開度量を調節し、暖房循環熱媒の供給量を調節する。
第２暖房端末６０は、例えばリビングＲ２の温水式放熱器であり、暖房循環熱媒を用いて放熱し、第２端末制御手段６１と弁手段６２を有しており、暖房経路ＨＦＢが接続されている。
また第２端末制御手段６１は、無線あるいは有線（通信線Ｔ８）にて第２暖房設定手段６７（第２暖房端末運転状態設定手段に相当）との間で種々の情報を送受信可能であり、無線あるいは有線（通信線Ｔ７）にて燃焼熱源機３０の熱源機制御手段３１との間で種々の情報を送受信可能であり、弁手段６２を制御することが可能である。
弁手段６２は、第２端末制御手段６１からの制御信号に基づいて暖房経路ＨＦＢの開度量を調節し、暖房循環熱媒の供給量を調節する。
第２暖房端末６０が複数の場合は、それぞれの第２暖房端末の運転状態を利用者が設定可能なそれぞれの第２暖房設定手段（第２暖房端末運転状態設定手段）を備え、暖房経路ＨＦを分岐させた経路をそれぞれ接続し、各暖房端末を並列的に接続する。
【００５２】
暖房経路ＨＦにおける燃焼熱源機３０から暖房循環熱媒が吐出される放熱前経路は、経路分岐手段７１によって複数に分岐されている。そして、経路分岐手段７１によって複数に分岐されたそれぞれの放熱前経路は、第１暖房端末４０及び第２暖房端末６０のそれぞれに接続されている。
また、第１暖房端末４０及び第２暖房端末６０のそれぞれから放熱後の暖房循環熱媒が吐出される放熱後経路のそれぞれは、経路合流手段７２によってまとめられている。そして、経路合流手段７２にてまとめられた放熱後経路は、給湯暖房熱交換器５２の流入口に接続されている。
この構成により、暖房端末が複数の場合であっても、利用した暖房端末にかかわらず、暖房に利用した後の暖房循環熱媒の熱を貯湯タンクの温水の加熱に利用することで、熱源（この場合、燃焼熱源機）に戻された暖房循環熱媒の温度をより低下させることができる。
これにより、暖房運転時において給湯負荷の発生の有無にかかわらず熱源の効率をより向上させることができる。
【００５３】
本発明の暖房システムは、本実施の形態で説明した外観、構成、構造、動作等に限定されず、本発明の要旨を変更しない範囲で種々の変更、追加、削除が可能である。
また、各制御手段、各設定手段の通信相手は、本実施の形態にて説明した通信相手に限定されない。
【符号の説明】
【００５４】
１Ａ〜１Ｅ    給湯暖房システム
１０      貯湯タンク装置
１１      タンク制御手段
１２      貯湯タンク
１３      混合装置
２０      ヒートポンプ装置
２１      ヒートポンプ制御手段
２４      温水循環ポンプ（第１温水循環ポンプ）
３０      燃焼熱源機
３１      熱源機制御手段
３５      暖房熱媒循環ポンプ
３７      給湯設定手段
４０      第１暖房端末
４１      第１端末制御手段
４２      弁手段
４７      第１暖房設定手段（第１暖房端末運転状態設定手段）
５０      熱交換ユニット
５１      熱交換制御手段
５２      給湯暖房熱交換器
５３      温水循環ポンプ（第２温水循環ポンプ）
５４      第１経路切替手段
５５      第２経路切替手段
６０      第２暖房端末
６１      第２端末制御手段
６２      弁手段
６７      第２暖房設定手段（第２暖房端末運転状態設定手段）
７１      経路分岐手段
７２      経路合流手段
ＢＡ      ヒートポンプバイパス経路
ＢＢ      熱交換器バイパス経路
ＨＡ      給水経路
ＨＢ      貯湯蓄熱経路
ＨＣ      温水吐出経路
ＨＤ      給湯加熱経路
ＨＥ      給湯経路
ＨＦ      暖房経路
ＨＺ      燃料経路
Ｓ１〜Ｓ６    接続口
Ｔ１〜Ｔ８    通信線
【図１】
2014047947.tif 000003
【図２】
2014047947.tif 000004
【図３】
2014047947.tif 000005
【図４】
2014047947.tif 000006
【図５】
2014047947.tif 000007
【図６】
2014047947.tif 000008
【図７】
2014047947.tif 000009
【図８】
2014047947.tif 000010